(57)【要約】      （修正有）【課題】ユーザを待たせることなく、位置情報に関連した広告を表示する電話機を提供する。【解決手段】第１計算機に接続される電話機であって、電話の発信、電話の着信又は通話の開始を契機に、位置情報を特定し、特定した位置情報に関連する広告を第１計算機から取得し、取得した広告を電話の切断を契機に表示する。また、電話機の切断を検知すると、位置情報を特定済みか否かを判定し、位置情報を特定済みでない場合には、位置情報の取得処理を終了し、広告の取得処理及び広告の表示処理を行わない。【選択図】図１
2011082773.tif 000002
【特許請求の範囲】
【請求項１】
第１計算機に接続される電話機であって、
電話の発信、電話の着信又は通話の開始のいずれかを契機に、当該電話機の位置情報を特定し、
当該特定した位置情報に関連する広告を第１計算機から取得し、
当該取得した広告を表示することを特徴とする電話機。
【請求項２】
更に、前記取得した広告を、電話の切断を契機に表示することを特徴とする請求項１に記載の電話機。
【請求項３】
更に、電話の切断を監視し、
電話の切断を検知すると、位置情報を特定済みか否かを判定し、
位置情報を特定済みでない場合には、位置情報の取得処理を終了し、広告の取得処理及び広告の表示処理を行わないことを特徴とする請求項１に記載の電話機。
【請求項４】
更に、電話の切断を監視し、
電話の切断を検知すると、広告を取得済みか否かを判定し、
広告を取得済みでない場合には、位置情報の取得処理又は広告の取得処理を終了し、広告の表示処理を行わないことを特徴とする請求項１に記載の電話機。
【請求項５】
更に、位置情報の特定時において、電話が切断されているか否かを判定し、
電話が切断されている場合には、広告の取得処理及び広告の表示処理を行わないことを特徴とする請求項１に記載の電話機。
【発明の詳細な説明】
【技術分野】
【０００１】
本発明は、インターネット接続機能を備える電話機に関する。
【背景技術】
【０００２】
特許文献１には、電話機が位置情報を特定するための時間を短縮する技術が開示されている。
【特許文献１】特開２００３−７８９４２号公報
【発明の開示】
【発明が解決しようとする課題】
【０００３】
しかしながら、位置情報の特定はまだまだ時間がかかるため、位置情報に関連した広告の表示は、ユーザを待たせるという問題がある。このためユーザが広告を閲覧する頻度が少なくなる。本発明は、前述した問題点を解決する技術を提供することを目的とする。
【課題を解決するための手段】
【０００４】
本発明の代表的な形態は、第１計算機に接続される電話機であって、電話の発信、電話の着信又は通話の開始を契機に、位置情報を特定し、当該特定した位置情報に関連する広告を第１計算機から取得し、当該取得した広告を表示することを特徴とする。
【発明の効果】
【０００５】
本発明の代表的な形態によれば、携帯電話は、ユーザを待たせることなく、位置情報に関連した広告を表示することができる。
【発明を実施するための最良の形態】
【０００６】
本発明の実施の形態を図面を参照して説明する。
【０００７】
（第１の実施の形態）
図１は、本発明の第１の実施の形態の計算機システムの構成のブロック図である。計算機システムは、電話機１、管理計算機３、公衆交換電話回線網４及びインターネット５を備える。電話機１及び管理計算機３は、インターネット５を介して相互に接続される。ただし、電話機１と管理計算機３とは、インターネット５ではなく、別の方法で接続されていてもよい。また、電話機１は、公衆交換電話回線網４にも接続される。なお、電話機１については、図２で詳細を説明する。管理計算機３は、プロセッサ、メモリ及びインタフェースを備える計算機である。例えば管理計算機３は、ＷＥＢサーバである。管理計算機３は、位置情報に関連した広告を電話機１に提供する。管理計算機３については、図３で詳細を説明する。なお、位置情報に関連した広告は、所定の位置の近隣に関連する広告や所定の位置を訪問する人々の好みや属性に関連した広告である。所定の位置に関連する広告であればいかなる広告であってもよい。位置情報は例えば緯度、経度、住所、郵便番号、基地局の識別子である。位置情報は、電話機１の位置を示す情報又は位置を決定できる情報であればいかなる情報であってもよい。ところで、本ブロック図には、電話機１が５台図示されているが、計算機システムに電話機１がいくつ備わっていてもよい。同様に、本ブロック図には、管理計算機３が１台図示されているが、計算機システムに管理計算機３がいくつ備わっていてもよい。また、管理計算機３は、いくつかの計算機によって冗長構成されていてもよい。
【０００８】
図２は、本発明の第１の実施の形態の計算機システムに備わる電話機１の構成のブロック図である。電話機１は、制御部１１、送受信部１２、表示部１３、入力部１４、マイク１５、スピーカ１６及びメモリ１７を備える。送受信部１２は、各種情報を送受信する。具体的には、送受信部１２は、アンテナを介して、通話及びデータ通信などを行う。表示部１３は、各種情報を表示する。入力部１４には、各種情報が入力される。マイク１５には、音及び音声が入力される。スピーカ１６は、音及び音声を出力する。制御部１１は、メモリ１７に記憶されるプログラムを実行することによって、電話機１の全体を制御する。具体的には、制御部１１は、送受信部１２、表示部１３、入力部１４、マイク１５、スピーカ１６及びメモリ１７に各種指示を行う。また、制御部１１は、入力部１４に入力された情報に応じて、各種制御を行う。メモリ１７は、制御部１１によって実行されるプログラム及び制御部１１によって必要とされる情報などを記憶する。具体的には、メモリ１７は、通常の電話機１に記憶されるプログラム及び情報に加えて、広告取得プログラム１８を記憶する。広告取得プログラム１８は、所定のタイミングで電話機の位置情報を取得し、位置情報に関連する広告を取得する。なお、電話機１は、ダイアル発信機能及びインターネット接続機能を備えれば、いかなるものであってもよい。例えば、電話機１は、ＰＤＡ機、ＰＨＳ機、携帯電話機、固定電話機又はＩＰ電話機のいずれであってもよい。電話機１がＩＰ電話機の場合、公衆交換電話回線網４はインターネットとなる。
【０００９】
図３は、本発明の第１の実施の形態の計算機システムに備わる管理計算機３の構成のブロック図である。管理計算機３は、プロセッサ３１、メモリ３２及びインタフェース３９を備える。インタフェース３９は、インターネット５を介して電話機１に接続される。プロセッサ３１は、メモリ３２に記憶されるプログラムを実行することによって、各種処理を行う。メモリ３２は、プロセッサ３１によって実行されるプログラム及びプロセッサ３１によって必要とされる情報などを記憶する。具体的には、メモリ３２は、広告応答プログラム３３を記憶する。広告応答プログラム３３は、電話機１から広告取得要求を受信し、広告取得要求に含まれる位置情報に関連した広告を送信する。管理計算機３は、位置情報とそれに関連する広告とを予め対応付けて、メモリ３２に記憶している。このため、管理計算機３は、容易に位置情報に関連する広告を、電話機１に送信できる。位置情報とそれに関連する広告との対応の記憶方法は、一般的なものであればいかなる方法であってもよい。管理計算機３は、例えば、ＷＥＢページによって位置情報とそれに関連する広告と対応を、広告主から受け付ける。なお、管理計算機３は外部記憶装置に接続され、外部記憶装置が位置情報とそれに関連する広告を記憶してもよい。
【００１０】
次に、本発明の第１の実施の形態の計算機システムの処理について説明する。図４は、本発明の第１の実施の形態の電話機１のファイル取得処理のフローチャートである。電話機１は、ユーザからダイアル発信要求を受けると（Ｓ１０１）、当該処理を開始する。まず、電話機１は、要求されたダイアルの発信先電話番号へダイアルを発信する（Ｓ１０２）。
【００１１】
次に、電話機１は、電話機の現在の位置情報を特定する（Ｓ１０３）。特定にはＧＰＳ又は携帯電話等の基地局情報を用いる。電話機１は、いかなる方法によって位置情報を特定してもよい。次に、電話機１は、発信したダイアルが呼出中、通話中又は切断済のいずれであるかを判定する（Ｓ１０４）。発信したダイアルが呼出中又は通信中の場合、電話機１は、広告取得要求を管理計算機３に送信する（Ｓ１０５）。切断済の場合、電話機１は、広告取得要求を送信しない。広告取得要求は、電話機１の表示部に表示する広告の要求である。例えば、広告は、文字列、画像又は動画である。広告は、表示部に表示できるものであればいかなるものであってもよい。広告取得要求は、電話機１が特定した位置情報を含む。広告取得要求は例えばＨＴＴＰによって送信される。広告取得要求は、ＨＴＴＰだけでなく、いかなるプロトコルで送信されてもよい。管理計算機３は、広告取得要求を受信する。すると、管理計算機３は、受信した広告取得要求から位置情報を取得し、取得した位置情報に関連する広告を電話機１に送信する。すると、電話機１は、広告を取得する。そして、電話機１は、取得した広告を表示部に表示する（Ｓ１０６）。なお、電池を節約するために発信したダイアルの切断を契機に、取得した広告を表示部に表示してもよい。
【００１２】
なお、ステップＳ１０３は、ダイアルの発信ではなく、通話の開始を契機に、実行されてもよい。また、ステップＳ１０４では、電話機１は、位置情報を特定すると、発信したダイアルが呼出中、通話中又は切断済のいずれであるかを判定している。しかしながら、電話機１は、ステップＳ１０４を省略してもよい。この場合には、電話機１は、電話の切断を監視しながら、ステップＳ１０４を除く処理を実行する。そして、切断を検知すると、電話機１は、位置情報を取得できたか否かを判定する。位置情報を取得できていない場合には、電話機１は、以降の処理を中止する。一方、位置情報を取得できている場合には、電話機１は、すべての処理を実行する。また、以下のようであってもよい。電話機１は、電話の切断を監視しながら、ステップＳ１０４を除く処理を実行する。そして、切断を検知すると、電話機１は、広告を取得できたか否かを判定する。位置情報を取得できていない場合には、電話機１は、以降の処理を中止する。一方、位置情報を取得できている場合には、電話機１は、すべての処理を実行する。
【００１３】
以上のように、本実施の形態によれば、電話機１は、電話の発信から切断までに位置情報に関連する広告を取得し、表示部に表示する。ユーザは通話の終了直後に、広告を閲覧することができる。すなわち、電話機１は、ユーザを待たせることなく、位置情報に関連した広告を表示することができる。
【００１４】
（第２の実施の形態）
第２の実施の形態の計算機システムの構成は、第１の実施の形態の計算機システム（図１）の構成と同一なので、説明を省略する。また、第２の実施の形態の計算機システムに備わる電話機１及び管理計算機３の構成も、第１の実施の形態の電話機１（図２）及び管理計算機３（図３）の構成と同一なので、説明を省略する。
【００１５】
次に、本発明の第１の実施の形態の計算機システムの処理について説明する。図５は、本発明の第２の実施の形態の電話機１のファイル取得処理のフローチャートである。電話機１は、ダイアルの着信を受けると（Ｓ１１１）、当該処理を開始する。
【００１６】
次に、電話機１は、電話機の現在の位置情報を特定する（Ｓ１１２）。特定にはＧＰＳ又は携帯電話等の基地局情報を用いる。電話機１は、いかなる方法によって位置情報を特定してもよい。位置情報は例えば緯度及び経度である。また、位置情報は例えば基地局の識別子である。位置情報は、電話機１の地理的な位置を示すものであればいかなる情報であってもよい。次に、電話機１は、着信を受け付けたダイアルが呼出中、通話中又は切断済のいずれであるかを判定する（Ｓ１１３）。着信を受け付けたダイアルが呼出中又は通信中の場合、電話機１は、広告取得要求を管理計算機３に送信する（Ｓ１１４）。切断済の場合、電話機１は、広告取得要求を送信しない。管理計算機３は、広告取得要求を受信する。すると、管理計算機３は、受信した広告取得要求から位置情報を取得し、取得した位置情報に関連する広告を電話機１に送信する。すると、電話機１は、広告を取得する。そして、電話機１は、取得した広告を表示部に表示する（Ｓ１１５）。なお、電池を節約するために着信を受け付けたダイアルの切断を契機に、取得した広告を表示部に表示してもよい。
【００１７】
なお、ステップＳ１１２は、ダイアルの着信の受け付けではなく、通話の開始を契機に、実行されてもよい。また、ステップＳ１１３では、電話機１は、位置情報を特定すると、着信を受け付けたダイアルが呼出中、通話中又は切断済のいずれであるかを判定している。しかしながら、電話機１は、ステップＳ１１３を省略してもよい。この場合には、電話機１は、電話の切断を監視しながら、ステップＳ１１３を除く処理を実行する。そして、切断を検知すると、電話機１は、位置情報を取得できたか否かを判定する。位置情報を取得できていない場合には、電話機１は、以降の処理を中止する。一方、位置情報を取得できている場合には、電話機１は、すべての処理を実行する。また、以下のようであってもよい。電話機１は、電話の切断を監視しながら、ステップＳ１１３を除く処理を実行する。そして、切断を検知すると、電話機１は、広告を取得できたか否かを判定する。位置情報を取得できていない場合には、電話機１は、以降の処理を中止する。一方、位置情報を取得できている場合には、電話機１は、すべての処理を実行する。
【００１８】
以上のように、本実施の形態によれば、電話機１は、電話の着信から切断までに位置情報に関連する広告を取得し、表示部に表示する。ユーザは通話の終了直後に、広告を閲覧することができる。すなわち、電話機１は、ユーザを待たせることなく、位置情報に関連した広告を表示することができる。
【００１９】
電話機１は、第１の実施の形態及び第２の実施の形態を併せて実行してもよいし、いずれか一方をだけを実行してもよい。
【図面の簡単な説明】
【００２０】
【図１】本発明の第１の実施の形態の計算機システムの構成のブロック図である。
【図２】本発明の第１の実施の形態の計算機システムに備わる電話機の構成のブロック図である。
【図３】本発明の第１の実施の形態の計算機システムに備わる管理計算機の構成のブロック図である。
【図４】本発明の第１の実施の形態の電話機の処理のフローチャートである。
【図５】本発明の第２の実施の形態の電話機の処理のフローチャートである。
【符号の説明】
【００２１】
１    電話機
３    管理計算機
４    公衆交換電話回線網
５    インターネット
１１    制御部
１２    送受信部
１３    表示部
１４    入力部
１５    マイク
１６    スピーカ
１７    メモリ
１８    広告取得プログラム
３１    プロセッサ
３２    メモリ
３３    広告応答プログラム
３９    インタフェース
【図１】
2011082773.tif 000003
【図２】
2011082773.tif 000004
【図３】
2011082773.tif 000005
【図４】
2011082773.tif 000006
【図５】
2011082773.tif 000007